(57)【要約】【課題】携帯電話機から予め設定した通過地点及び目的値に到着したことの通報を受信し、これを監視センタの監視パネルに表示すること。【解決手段】通信回線４を経由して情報を授受する携帯電話機２と監視センタ５とからなり、携帯電話機２は、監視ＩＤを送信し、地図情報を受信してこれを設定し、予め設定した通過地点Ａ，Ｂ，Ｃ及び目的地Ｄに到着したことを位置検出部により検出すると自動通報する機能を有し、監視センタ５は、携帯電話機２からの監視ＩＤを受信してＤＢ９に格納し、地図情報を送信するとともに監視パネルに表示し、監視ＩＤを付加した予め設定した通過地点及び目的地に到着したことの通報を受信して監視パネル８の上記地図情報上に表示する機能を有する。【選択図】　　　　図１
2004013801.tif 000002
【特許請求の範囲】
【請求項１】
通信回線を経由して情報を授受する携帯電話機と監視センタとからなる目的地及び通過地点到着時の自動通報管理システムであって、
携帯電話機は、少なくとも現在位置を検出する位置検出部、目的地及び通過地点設定部、通報先電話番号及びメールアドレス設定部、通報先電話番号及びメールアドレス送信制御部、地図情報等の画像情報の表示も可能な表示部とを備えていて、監視センタに監視ＩＤを送信し、監視センタからルート情報（目的地及び通過地点を含む地図情報）を受信してこれを設定する機能、目的地及び通過地点到着時の通報先電話番号及びメールアドレスを設定する機能、予め設定した目的地及び通過地点に到着したことを位置検出部により検出すると監視ＩＤを付加して予め設定した通報先電話番号又はメールアドレスへ自動通報する機能を有し、監視センタは、少なくとも管理サーバと監視パネルとデータベース（ＤＢ）とを備えていて、携帯電話機からの監視ＩＤを受信してＤＢに格納する機能、携帯電話機にルート情報を送信するとともに監視パネルに表示する機能、監視ＩＤを付加した予め設定した目的地及び通過地点に到着したことの通報を受信して監視パネルの上記ルート情報上に表示する機能を有することを特徴とする目的地及び通過地点到着時の自動通報管理システム。
【請求項２】
請求項１に記載の自動通報管理システムにおいて、携帯電話機は緊急事態が発生したときにその位置を検出して監視センタへ監視ＩＤを付加して緊急事態の発生を自動通報する機能を有し、監視センタは警報発生部を備えていて、携帯電話機からの監視ＩＤを付加した緊急事態の発生の通報を受信してこれを監視パネルの上記ルート情報上に表示するとともに警報を発生する機能を有することを特徴とする目的地及び通過地点到着時の自動通報管理システム。
【請求項３】
携帯電話機との間で通信回線を経由して情報を授受する、少なくとも管理サーバと監視パネルとデータベース（ＤＢ）とを備えた監視センタによる、目的地及び通過地点到着時の自動通報管理システムであって、
監視センタは、携帯電話機からの監視ＩＤを受信してＤＢに格納する機能、携帯電話機へルート情報を送信するとともに監視パネルに表示する機能、監視ＩＤを付加した予め設定した目的地及び通過地点に到着したことの通報を受信して監視パネルの上記ルート情報上に表示する機能を有することを特徴とする目的地及び通過地点到着時の自動通報管理システム。
【請求項４】
請求項３に記載の自動通報管理システムにおいて、監視センタは警報発生部を備えていて、携帯電話機からの監視ＩＤを付加した緊急事態の発生の通報を受信してこれを監視パネルの上記ルート情報上に表示しするとともに警報を発生する機能を有することを特徴とする目的地及び通過地点到着時の自動通報管理システム。
【請求項５】
請求項１〜請求項４のいずれか１項に記載の自動通報管理システムにおいて、監視センタのＤＢは、ルート情報、予め設定した目的地及び通過地点の到着及び／又は出発予定時刻、予め設定した目的地及び通過地点の到着及び／又は出発時刻、通報先電話番号及びメールアドレスを格納する機能を有することを特徴とする目的地及び通過地点到着時の自動通報管理システム。
【請求項６】
請求項１〜請求項５のいずれか１項に記載の自動通報管理システムであって、携帯電話機は車両に搭載されており、監視センタは車両の運行状況を監視する機能を有することを特徴とする目的地及び通過地点到着時の自動通報管理システム。
【請求項７】
請求項６に記載の自動通報管理システムにおいて、監視センタは、車両の運行情報として目的地及び通過地点への到着及び／又は出発に関する通報を受信し、監視パネルに表示する機能を有することを特徴とする目的地及び通過地点到着時の自動通報管理システム。
【請求項８】
請求項６に記載の自動通報管理システムにおいて、監視センタは、携帯電話機からの車両の通過状況に関する通報を受信して、監視パネルに現在地を表示する機能を有することを特徴とする目的地及び通過地点到着時の自動通報管理システム。
【発明の詳細な説明】
【０００１】
【発明の属する技術分野】
本発明は、ＧＰＳを利用した携帯電話機を備えた車両の運行の安全を確保するための目的地及び通過ポイント到着時の自動通報管理システムに関する。
【０００２】
【従来の技術】
ＧＰＳ衛星を利用して現在位置情報を高精度で得るシステムがカーナビゲーション等で使用されており、最近ではこのＧＰＳを利用した現在位置の情報を携帯電話機でも利用できるサービスが提供されている。
【０００３】
【発明が解決しようとする課題】
本発明は、ＧＰＳを利用した携帯電話機を備えた車両（例えば、現金輸送車）から監視センタに対して、予め設定した通過地点及び目的値に到着したことを自動的に通報し、また運行中に緊急事態が発生した場合にも自動的に通報できるようにし、これらの通報を受信して監視センタにおいて車両の運行状況を監視できる自動通報管理システムを提供することを目的とする。
【０００４】
【課題を解決するための手段】
上記目的を達成するために、本発明は、通信回線を経由して情報を授受する携帯電話機と監視センタとからなる目的地及び通過地点到着時の自動通報管理システムであって、携帯電話機は、少なくとも現在位置を検出する位置検出部、目的地及び通過地点設定部、通報先電話番号及びメールアドレス設定部、通報先電話番号及びメールアドレス送信制御部、地図情報等の画像情報の表示も可能な表示部とを備えていて、監視センタに監視ＩＤを送信し、監視センタからルート情報（目的地及び通過地点を含む地図情報）を受信してこれを設定する機能、目的地及び通過地点到着時の通報先電話番号及びメールアドレスを設定する機能、予め設定した目的地及び通過地点に到着したことを位置検出部により検出すると監視ＩＤを付加して予め設定した通報先電話番号又はメールアドレスへ自動通報する機能を有し、監視センタは、少なくとも管理サーバと監視パネルとデータベース（ＤＢ）とを備えていて、携帯電話機からの監視ＩＤを受信してＤＢに格納する機能、携帯電話機にルート情報を送信するとともに監視パネルに表示する機能、監視ＩＤを付加した予め設定した目的地及び通過地点に到着したことの通報を受信して監視パネルの上記ルート情報上に表示する機能を有する。
【０００５】
また携帯電話機は緊急事態が発生したときにその位置を検出して監視センタへ監視ＩＤを付加して緊急事態の発生を自動通報する機能を有し、監視センタは警報発生部を備えていて、携帯電話機からの監視ＩＤを付加した緊急事態の発生の通報を受信してこれを監視パネルの上記ルート情報上に表示するとともに警報を発生する機能を有する。
【０００６】
さらに携帯電話機との間で通信回線を経由して情報を授受する、少なくとも管理サーバと監視パネルとデータベース（ＤＢ）とを備えた監視センタによる、目的地及び通過地点到着時の自動通報管理システムであって、監視センタは、携帯電話機からの監視ＩＤを受信してＤＢに格納する機能、携帯電話機へルート情報を送信するとともに監視パネルに表示する機能、監視ＩＤを付加した予め設定した目的地及び通過地点に到着したことの通報を受信して監視パネルの上記ルート情報上に表示する機能を有する。
【０００７】
さらにまた監視センタは警報発生部を備えていて、携帯電話機からの監視ＩＤを付加した緊急事態の発生の通報を受信してこれを監視パネルの上記ルート情報上に表示しするとともに警報を発生する機能を有。
さらに監視センタのＤＢは、ルート情報、予め設定した目的地及び通過地点の到着及び／又は出発予定時刻、予め設定した目的地及び通過地点の到着及び／又は出発時刻、通報先電話番号及びメールアドレスを格納する機能を有する。
【０００８】
さらに携帯電話機は車両に搭載されており、監視センタは車両の運行状況を監視する機能を有する。
さらにまた監視センタは、車両の運行情報として予め設定した目的地及び通過地点への到着及び／又は出発に関する通報を受信し、監視パネルに表示する機能を有する。
さらにまた監視センタは、携帯電話機からの車両の通過状況に関する通報を受信して、監視パネルに現在地を表示する機能を有する。
【０００９】
【発明の実施の形態】
本発明の実施の形態を実施例にもとづき図面を参照して説明する。
図１は携帯電話機を車両に搭載した場合の目的地及び通過地点到着時の自動通報管理システムの説明図を、図２は上記自動通報管理システムにおける監視センタの構成のブロック図を、図３は上記自動通報管理システムにおいて適用可能な携帯電話機の構成のブロック図を、図４〜図６は携帯電話機或いは監視センタの処理のフロー図を示す。
【００１０】
図１において、１は車両（例えば現金輸送車）、２はＧＰＳを利用した現在位置検出機能を有する携帯電話機、５は監視センタで、ルータ６、管理サーバ７、監視パネル８、データベース（ＤＢ）９、パーソナルコンピュータ（ＰＣ）１０、警報装置１１、スピーカ１２等を備えており、通信ネットワーク４を介して携帯電話機２との間で情報の授受を行う。
管理サーバ７は本発明の自動通報管理システム全体を制御する。監視パネル８には予め設定された車両の通過経路が表示されていて、例えば地点Ａに到着しことの通報を受けると、その部分を明るくして車両の運行状況が分かるようにしている。
【００１１】
ＤＢ９には、監視ＩＤ、ルート情報（通過地点と目的地を含む地図情報）、到着及び出発予定時刻、通報先電話番号及びメールアドレス等が格納される。
監視センタによる監視内容は、携帯電話機の監視ＩＤ、監視開始情報、ルート情報（通過地点及び目的地を含む地図情報）、各地点の通過時刻、通過状況の表示・現在地の表示、緊急通報の表示等である。
【００１２】
現金輸送車は通過地点Ａ、Ｂ、Ｃを経て目的地Ｄに到着するが、夫々の地点に到着したことは、携帯電話機２により監視センタ５に自動通報され、監視センタ５においてはこの自動通報を受けて、ＤＢ９に記録すると共に監視パネル８のその地点の表示を明るくする。
【００１３】
また例えば通過地点Ｂにおいて緊急事態が発生したような場合には、携帯電話機３により、その旨が監視センタ５に自動的に通報され、監視センタ５は緊急事態発生の通報を受けると監視パネルにこれを表示すると共に、スピーカ１２により緊急事態発生を知らせる。そしてそのための対応がとられる。
なお本発明は携帯電話機を搭載した車両の運行状況を監視する場合に限らず、携帯電話機の所有者の移動状況を把握する場合にも適用できるものである。
【００１４】
監視センタ５の構成のブロック図を示す図２において、１１０は監視全体制御部、１２０は外部と情報の授受をする通信制御部、１３０は記憶制御部、１４０は入力部、１５０は表示部（表示パネル８）、１６０は警報発生部、１７０は監視ＩＤ格納データベース（ＤＢ）、１７２はルート情報ＤＢ、１８０はロギングである。
【００１５】
図３は本発明の自動通報管理システムに適用される携帯電話機の構成のブロック図を示し、携帯電話機２００は、全体制御部２１０を有し、全体を制御する。送受信制御部２２０はアンテナ２２２を介して、外部との通信を行う。
位置検出部２４０は、ＧＰＳ衛星からの電波信号、又はＧＰＳ衛星及び地上ＧＰＳ基地局からの電波信号を受信して現在位置を検出する機能を備えている。
【００１６】
入力部２５０は、予め設定するための目的地及び通過地点の設定部２５２と通報先電話番号及びメールアドレスの設定部２５４を備える。
通報先電話番号及びメールアドレス送信制御部２３０は予め設定した通報先電話番号又はメールアドレスへの送信を制御する。
【００１７】
表示部２６０は、地図情報等の画像情報の表示も可能であり、受信したルート情報（目的地及び通過地点を含む地図情報）表示する。記憶部２７０は設定さされ情報等を記憶する。電源制御部１８０は、携帯電話機全体に必要な電力を供給する。
また緊急事態の発生時にはその位置を検出して緊急事態の発生を監視センタに自動通報する機能を備える。
【００１８】
図４は現金輸送車１に備えられた携帯電話機による初期処理のフロー図である。
ステップＳ１００で処理がスタートし、ステップＳ１０１で監視センタに現金輸送車の監視ＩＤを送信する。ステップＳ１０２で監視センタからルート情報（地図情報）を受信し、ステップＳ１０３でルート情報としてダウンロードし、設定する。ステップＳ１０４で通過地点及び目的地到着時の通報先電話番号又はメールアドレスを設定し、ステップＳ１０５で初期処理を終了する。
【００１９】
図５は監視センタにおける自動通報管理システムの処理のフロー図である。
ステップＳ２００で処理がスタートし、ステップＳ２０１で携帯電話機からの監視ＩＤを受信し、ステップＳ２０２で携帯電話機に目的地及び通過地点を含む地図をルート情報として送信して、監視を開始し（ステップＳ２０３）、ステップＳ２０４で監視パネルに目的地及び通過地点を含むルート情報を表示する。現金輸送車からは携帯電話機により運行中の通報（通過地点及び目的地の位置情報及びこれらへの到着及び出発の情報、さらに緊急事態が発生した場合の情報等）を、監視ＩＤを付加して監視センタに自動送信するが、ステップＳ２０５ではそのような通報があるかチェックして、通報がなければ、通報を待つことになる。通報があればステップＳ２０６でその通報が緊急通報かチェックする。
【００２０】
緊急通報であれば、ステップＳ２０７で監視パネル８に緊急事態の発生を表示し、スピーカ１２により警報を発して、ステップＳ２０５に戻る。緊急通報でなければ、ステップＳ２０８で到着であるかチェックし、到着であれば、ステップＳ２０９で通過地点への到着かチェックし、そうであればステップＳ２１０で通過地点へ到着を監視パネルに表示し、ステップＳ２１１でそれを記録する。ステップＳ２０８のチェックで到着でなければ、ステップＳ２１２で出発であるかチェックし、出発であればステップＳ２１３で通過地点から出発かチェックし、出発であればステップＳ２１０で、通過地点からの出発であること監視パネルに表示して、ステップＳ２１１でそれを記録する。ステップＳ２０９のチェックで通過地点への到着でなければステップＳ２１４へ進む。ステップＳ２１２のチェックで出発でなければステップＳ２０５へ戻る。ステップＳ２１４で目的地へ到着したかチェックし、到着でなければステップＳ２０５へ戻り、到着であればステップＳ２１５で目的地へ到着したことを監視パネルに表示し、ステップＳ２１６でそれを記録し、ステップＳ２１７で終了する。
【００２１】
図６は現金輸送車運行中の携帯電話機による処理のフロー図である。
ステップＳ３００でスタートし、ステップＳ３０１で目的地又は通過地点か判断し、そうであればステップＳ３０２で監視センタへ監視ＩＤを付加して通過地点情報と到着か出発かの情報を自動送信する。ステップＳ３０３で目的地か判断し、目的地でなければステップＳ３０１へ戻る。
【００２２】
ステップＳ３０１における判断がノー（Ｎｏ）であればステップＳ３０４で緊急通報か判断し、緊急通報であればステップＳ３０５で監視ＩＤを付加して緊急情報を自動送信し、ステップＳ３０１へ戻る。緊急情報でなければステップＳ３０６で目的地又は通過地点を離れる（出発する）か判断し、離れるのであればステップＳ３０２へ戻り、離れるのでなければステップＳ３０１へ戻る。ステップＳ３０３の判断がイエス（Ｙｅｓ）であればステップＳ３０７で終了する。
【００２３】
以上では、予め設定した通過地点及び目的地への到着及び／又は通過時点で、監視センタへ現在位置情報を自動送信する場合について説明したが、これに限らず、監視センタからの要求があればその時点で通過中の位置情報を自動的に取得し、監視ＩＤを付加し自動送信することもできるし、また携帯電話機を所持した人が通過中の任意の地点で現在位置情報取得の操作をして、その位置情報を自動的に取得し、監視センタへ監視ＩＤを付加し自動送信することもできる。
【００２４】
【発明の効果】
以上にように本発明の自動通報管理システムによれば、任意の地点及び予め設定した通過地点や目的地に位置検出機能を有する携帯電話機を備えた車両や所持した人が到着したことを、また途中で緊急事態が発生した場合にもこれを、監視センタに監視ＩＤを付加して通報し、監視センタではこれらの通報を受信して監視パネルの地図上に表示し、警報を発生するようにしたので、例えば運行中の車両や地理に不案内な者、子供等の通過地点及び目的値への到着を容易に知ることができ、また安全性の向上にも資することができ、さらに途中で緊急事態が発生した場合でもその対策を講じることができるのである。
【図面の簡単な説明】
【図１】本発明の自動通報管理システムの説明図。
【図２】自動通報管理システムの監視センタの構成のブロック図。
【図３】自動通報管理システムにおいて適用可能な携帯電話機の構成のブロック図。
【図４】車両に備えられた携帯電話機による初期処理のフロー図。
【図５】監視センタにおける自動通報管理システムの処理のフロー図。
【図６】車両運行中の携帯電話機による処理のフロー図。
【符号の説明】
１　車両
２　携帯電話機
４　通信ネットワーク
５　監視センタ
６　ルータ
７　管理サーバ
８　監視パネル
９　データベース（ＤＢ）
１０　パーソナルコンピュータ（ＰＣ）
１１　警報装置
１２　スピーカ
【図１】
2004013801.tif 000003
【図２】
2004013801.tif 000004
【図３】
2004013801.tif 000005
【図４】
2004013801.tif 000006
【図５】
2004013801.tif 000007
【図６】
2004013801.tif 000008